(57)【要約】【課題】分離部材に対する傾斜部材の圧接を容易に解除可能な機構とすることで傾斜部材のメンテナンス性向上を実現する。【解決手段】回動自在なシート材積載部材１と、シート材積載部材１上に積載されてシート材積載部材１の回動により上昇するシート材２上面に接触してシート材２を給送する給送部材４と、給送部材４により給送されたシート材２の前端が突き当たる傾斜面を有する傾斜部材６と、傾斜部材６と接触してニップ部を形成する分離部材７とを備え、分離部材７により複数枚のシート材を１枚ずつ分離するようにした給紙装置において、傾斜部材６をシート材積載部材１上に設ける。【選択図】      図２
2004315206.tif 000002
【特許請求の範囲】
【請求項１】
回動自在なシート材積載部材と、シート材積載部材上に積載されてシート材積載部材の回動により上昇するシート材上面に接触してシート材を給送する給送部材と、給送部材により給送されたシート材の前端が突き当たる傾斜面を有する傾斜部材と、傾斜部材と接触してニップ部を形成する分離部材とを備え、分離部材により複数枚のシート材を１枚ずつ分離するようにした給紙装置において、傾斜部材をシート材積載部材上に設けることを特徴とする給紙装置。
【請求項２】
請求項１記載の給紙装置において、傾斜部材を分離部材に押圧する圧接部材をシート材積載部材上に設けることを特徴とする給紙装置。
【請求項３】
請求項１記載の給紙装置において、傾斜部材とシート材積載部材とを一体で設けることを特徴とする給紙装置。
【請求項４】
請求項１、２又は３の何れか一項に記載の給紙装置と、書込み光学系と、画像形成部と、を備えたことを特徴とする画像形成装置。
【発明の詳細な説明】
【０００１】
【発明の属する技術分野】
本発明は、画像形成装置に適用される給紙装置に関する。
【０００２】
【従来の技術】
複写機、プリンタ、ファクシミリ装置等の電子写真式画像形成装置は、原稿画像を読取る読み取り光学系と、感光体を中心とした画像形成部と、画像形成部に画像を書き込む書込み光学系と、画像形成部に用紙を給紙する給紙部と、を備えている。
給紙部を構成する給紙装置は、例えばトレイ上に積層した用紙を最上部から給紙コロによって取出して画像形成部に搬送する構成を備えている。給紙コロによって用紙と取り出した際に生じ易い重送を防止するために種々の分離方式が提案されている。
従来のシート材分離方式、例えば分離パッド方式、コーナ爪分離方式等は、例えば重送、不送り、異音、小型化困難等の不具合を有しており、この問題を解決するために、簡単な構成で多種多様なシート材の曲げ弾性係数の影響を激減させ、各種のシート材を不送りや重送を生じること無く１枚ずつ分離して確実に給送することができるシート材分離方式を採用した給紙装置が本出願人より既に提案されている。
【０００３】
【発明が解決しようとする課題】
上記のシート材分離方式はシート材の分離に必要な傾斜部材を装置本体に設けた機構となっている。また、シート材積載部材の回動手段と分離部材に対する傾斜部材の圧接手段とでそれぞれ個々の加圧部材を設けた機構となっている。従って機構が複雑であり、改良の余地が残されていた。
本発明は、このような背景の基になされたものであり、傾斜部材及び傾斜部材を分離部材に押圧する圧接部材をそれぞれ回動自在なシート材積載部材上に設け、分離部材に対する傾斜部材の圧接を容易に解除可能な機構とすることで傾斜部材のメンテナンス性向上を実現することを目的とする。また傾斜部材とシート材積載部材とを一体で設け、加圧部材を単一にしたシンプルな機構とすることで性能を保持したままコストダウンを実現することを目的とする。
【０００４】
【課題を解決するための手段】
上記目的を達成するために、請求項１記載の発明は、回動自在なシート材積載部材と、シート材積載部材上に積載されてシート材積載部材の回動により上昇するシート材上面に接触してシート材を給送する給送部材と、給送部材により給送されたシート材の前端が突き当たる傾斜面を有する傾斜部材と、傾斜部材と接触してニップ部を形成する分離部材とを備え、分離部材により複数枚のシート材を１枚ずつ分離するようにした給紙装置において、傾斜部材をシート材積載部材上に設ける給紙装置を最も主要な特徴とする。
請求項２記載の発明は、請求項１記載の給紙装置において、傾斜部材を分離部材に押圧する圧接部材をシート材積載部材上に設ける給紙装置を主要な特徴とする。
請求項３記載の発明は、請求項１記載の給紙装置において、傾斜部材とシート材積載部材とを一体で設ける給紙装置を主要な特徴とする。
請求項４の画像形成装置は、請求項１、２又は３の何れか一項に記載の給紙装置と、書込み光学系と、画像形成部と、を備えたことを特徴とする。
【０００５】
【発明の実施の形態】
以下、本発明の実施の形態を図面に従って説明する。
図１は本発明の第１の実施の形態に係る給紙装置の分解斜視図、図２は本発明の第１の実施の形態に係る給紙装置の要部正面図である。
傾斜部材及び傾斜部材を分離部材に押圧する圧接部材をそれぞれ回動自在なシート材積載部材上に設けた給紙装置の全体構成を説明する。四周に高さの低い壁面を備えた浅い筐体の装置本体１０には、前面の開口部１０ａを通してカセット１１が着脱自在に装着される。このカセット１１内には、複数のシート材２を積載可能なシート材積載部材である底板１が一端を支軸１ａにより搖動自在に支持されており、カセット１１との間に係着された圧縮バネ３により自由端部が常時上方へ付勢されている。
装置本体１０には、圧縮バネ３により反時計方向に付勢力を有する底板１上に積載されたシート材２の最上位のシート材２ａに圧接し得るように給送部材である給送ローラ４が、また最上位のシート材２ａの先端部に圧接し得るように分離部材である分離ローラ７が設けられている。この分離ローラ７に対して、底板１の先端に設けた傾斜面６ａを有する傾斜部材６が圧接部材である圧縮バネ５の付勢力により押圧されている。圧縮バネ５、傾斜部材６、分離ローラ７によりシート材２に対する分離機構を構成している。
傾斜面を有する傾斜部材６及び圧縮バネ５を、図２に示すようにシート材積載部材である底板１先端の凹所１Ａ内にネジ８で固定して設けることで、分離ローラ７と傾斜部材６との圧接を底板１の回動に合わせて解除可能とすることができ、その結果容易に傾斜部材６を着脱することができる。
【０００６】
図３は本発明の第２の実施の形態に係る給紙装置の分解斜視図、図４は本発明の第２の実施の形態に係る給紙装置の要部正面図である。第２の実施形態では、シート材積載部材である底板１の前端部に傾斜部材としての傾斜形状部１ｂを一体で設け、更に傾斜形状部１ｂを分離ローラ７に押圧する付勢力をカセット１１との間に係着された圧縮バネ３から得る機構とすることで、別途傾斜部材及び圧縮バネを設けること無く第１の実施形態と同等の分離性能を実現することができる。
なお、上記実施形態では何れも給紙装置単体としての構成例を説明したが、本発明の給紙装置は、複写機、プリンタ、ファクシミリ装置などの電子写真式の画像形成装置の給紙手段として適用することができる。即ち、図５は本発明の給紙装置Ａを備えた画像形成装置の概略構成図であり、この画像形成装置は、装置本体２０上面の原稿台２１上に原稿給紙装置２２を配置した構成を備え、装置本体２０内には、給紙装置Ａ、画像形成部Ｂ、読み取り光学系Ｃ、書込み光学系Ｄ、及び図示しない電装部等が配置されている。画像形成部Ｂは、感光体３１と、その周囲に配置された帯電部３２、露光部３３、現像部３４、転写部３５、及び定着部３６を備えている。
なお、読み取り光学系を備えないプリンタに対しても本発明は適用可能である。
読み取り光学系Ｃにより読取られた原稿台２１上の原稿の画像データは、書込み光学系Ｄによってレーザビームとして感光体３１上に照射されて静電潜像が形成される。この静電潜像は現像部３４によって可視像化され、このトナー像を給紙部Ｃから給紙された転写紙上に転写、定着してから機外に排出される。
このような構成を備えた画像形成装置に対して本願発明の給紙装置を適用することにより、上記各実施形態において示した優れた効果を発揮することができる。
【０００７】
【発明の効果】
本発明の給紙装置においては、分離部材に対する傾斜部材の圧接を容易に解除可能とすることで、傾斜部材のメンテナンス性向上を実現することができる。また傾斜部材とシート材積載部材とを一体で設けることでコストダウンを実現することができる。
【図面の簡単な説明】
【図１】本発明の第１の実施の形態に係る給紙装置の分解斜視図である。
【図２】本発明の第１の実施の形態に係る給紙装置の要部正面図である。
【図３】本発明の第２の実施の形態に係る給紙装置の分解斜視図である。
【図４】本発明の第２の実施の形態に係る給紙装置の要部正面図である。
【図５】本発明の給紙装置を適用する画像形成装置の構成図である。
【符号の説明】
１  底板（シート材積載部材）
２  シート材
３、５  圧縮バネ（圧接部材）
４  給送ローラ（給送部材）
６  傾斜部材
７  分離ローラ（分離部材）
【図１】
2004315206.tif 000003
【図２】
2004315206.tif 000004
【図３】
2004315206.tif 000005
【図４】
2004315206.tif 000006
【図５】
2004315206.tif 000007